(57)【要約】【課題】本考案は、無線トランスポート可能な携帯式データ読取り装置を提供する。【解決手段】本考案は、拡張インタフェース１４と接続インタフェース１１、無線トランスポートチップ１３、メモリカードインタフェース１５及びコントロールユニット１２とを含有し、拡張と接続インタフェースは、それぞれ情報処理設備と電子周辺装置に接続され、無線トランスポートチップにより無線信号を送信し、メモリカードインタフェースは多種類の規格のメモリカードと互換性を有し、コントロールユニットは前記各インタフェース、無線トランスポートチップ間のデータフローの方向や作動を制御する。本考案により、データを、有線や無線である異なる方式にて、双方向にトランスポートでき、情報をシェアできる。また多数の電子周辺装置やデータ読取り装置を同時に使用する時、情報処理設備の挿設槽が足りないという問題も解決できる。【選択図】図１
0003131532.tif 000002
【実用新案登録請求の範囲】
【請求項１】
電子周辺装置を挿設するための少なくとも一つの拡張インタフェースと、
メモリカードを挿設するための少なくとも一つのメモリカードインタフェースと、
情報処理設備と接続するための接続インタフェースと、
無線信号であるデータをトランスポートするための無線トランスポートチップと、
前記の接続インタフェースやメモリカードインタフェース、拡張インタフェース及び無線トランスポートチップの動作を制御して、その優先権を決め、そして、データフローの方向を制御するコントロールユニットと、
を含有し、
これにより、前記情報処理設備が、電子周辺装置やメモリカード及び無線信号のデータにアクセスできる、
ことを特徴とする無線トランスポート可能な携帯式データ読取り装置。
【請求項２】
該無線トランスポート可能な携帯式データ読取り装置は、ホットプラグ＆プレー可能であるホットプラグ形式であることを特徴とする請求項１に記載の無線トランスポート可能な携帯式データ読取り装置。
【請求項３】
前記メモリカードインタフェースは、ＣＦやＭｉｃｒｏｄｒｉｖｅ、ＭＭＣ、ＳＤ、Ｍｉｎｉ  ＳＤ、ｍｉｃｒｏＳＤTM（Ｔ−Ｆｌａｓｈ）、ＭＭＣｍｉｃｒｏ、ｘＤ−Ｐｉｃｔｕｒｅ、Ｍｅｍｏｒｙ  Ｓｔｉｃｋ(R)（Ｄｕｏ）、ＭＭＣｐｌｕｓTM、ＭＭＣｍｏｂｉｌｅTM或いはＭＭＣｍｉｃｒｏTMの形式と互換性があることを特徴とする請求項１に記載の無線トランスポート可能な携帯式データ読取り装置。
【請求項４】
前記無線トランスポートチップのトランスポート方式は、ブルートゥースやＲＦ赤外線、Ｗｉ−Ｆｉ或いはＷｉＭＡＸ等の形式であることを特徴とする請求項１に記載の無線トランスポート可能な携帯式データ読取り装置。
【請求項５】
２台のコンピュータを備え、該２台のコンピュータには、それぞれ、携帯式データ読取り装置が挿設されており、該２台のコンピュータの間において、それぞれ挿設された前記携帯式データ読取り装置により無線データのトランスポートを行う、
ことを特徴とする請求項１に記載の無線トランスポート可能な携帯式データ読取り装置を有する無線トランスポートシステム。
【請求項６】
１台のコンピュータと１台の無線プレゼンテーション装置とを備え、該コンピュータに、携帯式データ読取り装置が挿設され、該携帯式データ読取り装置の拡張インタフェースに、無線レシーバが挿設され、無線で前記無線プレゼンテーション装置のデータを受信する、
ことを特徴とする請求項１に記載の無線トランスポート可能な携帯式データ読取り装置を有する無線トランスポートシステム。
【考案の詳細な説明】
【技術分野】
【０００１】
本考案は、データ読取り装置に関し、特に、無線トランスポート可能な携帯式データ読取り装置およびそれを有する無線トランスポートシステムに関する。
【背景技術】
【０００２】
技術が急速的に成長するのに伴って、電子周辺装置の発展も盛んになっている。近代において重大且つ急速に発展した技術は、大きく次の３種類がある。
【０００３】
その１は、インタフェース技術である。如何に電子周辺装置とコンピュータとを接続し、快速且つ安全にデータのトランスポートを行うかということが重要視されるため、今日様々なインタフェース技術が開発され、接続の問題がほぼ解決され、統一した規格が登場した。例えば、『ＵＳＢ』（Ｕｎｉｖｅｒｓａｌ  Ｓｅｒｉａｌ  Ｂｕｓ）や『ＩＥＥＥ  １３９４』（ＩＮＳＴＩＴＵＴＥ  ＯＦ  ＥＬＥＣＴＲＩＣＡＬ  ＡＮＤ  ＥＬＥＣＴＲＯＮＩＣ  ＥＮＧＩＮＥＥＲＳ  １３９４）等の形式の技術は、大幅に広く応用されている。
【０００４】
その２は、電子記憶媒体である。例えばメモリカードであり、関連技術が重大な発展と改良を果たしたため、ある程度まで普及した商品となった。メモリカードは、数多い利点を有し、「軽薄短小」は当然の利点として、その他にもより大きな容量へ向かって発展しており、将来的には、データを記憶する媒体道具として、重要な地位を占有することが間違いない。そのため、１台のメモリカードインタフェースを有するデータ読取り装置は、不可欠な道具の一つになる。例えば、台湾専利公告第５４０７６８号には、メモリを内蔵したカードリーダが記載され、該カードリーダは、メモリカードが挿設されているかに基づいて、内蔵メモリや外挿メモリカードを使用することを決めることを開示している。
【０００５】
その３は、無線トランスポートである。情報量の膨大化に伴い、無線方式により、データを何時でも即時にトランスポートしてシェアする機能が要請されている。現況においては、無線インタフェース技術は、近距離伝送技術の場合、ブルートゥース（Ｂｌｕｅｔｏｏｔｈ）や赤外線通信（ＩＲ、  Ｉｎｆｒａｒｅｄ  Ｒａｄｉｏ）及びＨｏｍｅＲＦ（Ｈｏｍｅ  Ｒａｄｉｏ  Ｆｒｅｑｕｅｎｃｙ）に応用され、大量データをトランスポートするのをサポートするＩＥＥＥ８０２がある。長距離伝送技術の場合、例えば、ＷＩＭＡＸ等がある。以上は、注目されている技術であり、また、発展のテンポや応用性から見れば、無線に関する領域は、将来において不可欠な技術且つ標準設備になる可能性がある。
【０００６】
上記の各技術は、情報が膨大化された現在においては不可欠なものであるが、数多い電子周辺装置により、コンピュータの負担が重くなっている。また、各種類の電子周辺装置は、別々のデータ読取り装置をインタフェースとし、それぞれコンピュータに挿設（挿入）されることにより使用される。しかしながら、一般のコンピュータは、拡張送信ポートの数が限られているため、同時にそれらの電子周辺装置やデータ読取り装置を利用することができない。また、今流行っているベアボーンＰＣは、備えている送信ポートの数がより少なくなっている。また、一般の市販のデータ読取り装置を有するものは、無線機能を有さないため、電子周辺装置の内部に存在するデータを、複数の媒介を介して記憶することを繰り返すことにより、ようやく無線方式で、他の情報処理設備や電子周辺装置に送信することができる。本考案の考案者は、上記の諸問題を解消するために、慎重に研究し、そして、学理を運用して、設計が合理的で、有効的に上記の問題を解決できる本考案を考案した。
【考案の開示】
【考案が解決しようとする課題】
【０００７】
本考案は、情報処理設備や電子周辺装置に記憶された各種のデータを、有線や無線の方式で互いに受送信でき、データが、情報処理設備と電子周辺装置との間で、即時に且つ快速的に互いにシェア（共有）でき、また、同時に使用する情報処理設備の送信ポートの数を低減できる無線トランスポート可能な携帯式データ読取り装置を提供する。
【課題を解決するための手段】
【０００８】
本考案は、上記の技術問題点を解消するため、接続インタフェースと、メモリカードインタフェース、拡張インタフェース、無線トランスポートチップ及びコントロールユニットとを含有する無線トランスポート可能な携帯式データ読取り装置である。接続インタフェースは、情報処理設備の挿設槽（拡張ポート）に接続されて、本考案に係わる携帯式データ読取り装置を駆動し、また、もう一側に位置するメモリカードインタフェースは、多種類のメモリカードと互換性を有し、これにより、情報処理設備がメモリカードからデータを読取ることができ、拡張インタフェースは、電子周辺装置を挿設するためのものであり、これにより、拡張の目的が達成される。従って、情報処理設備は、幅広い電子周辺装置と、互いに情報をシェアできる。無線トランスポートチップは、メモリカードや電子周辺装置に存在するデータを、無線トランスポートで、他の無線機能を有する情報処理設備や電子周辺装置に送信できるものであり、コントロールユニットは、前記の接続インタフェースやメモリカードインタフェース、拡張インタフェース及び無線トランスポートチップの作動や開閉を制御して、データフローの方向を制御する。
【０００９】
本考案に係わる無線トランスポート可能な携帯式データ読取り装置は、各種類のインタフェースを統合することにより、同時に数多くの電子周辺装置やデータ読取り装置を使用する場合、情報処理設備の挿設槽（拡張ポート）が足りないという問題を解決する。そして、情報処理設備や電子周辺装置のデータを、即時に、本考案に係わる携帯式データ読取り装置により、有線や無線で送信でき、これにより、余計な媒介を介して送信して記憶する作業を行わなくても、データをシェアすることができ、ユーザーにとって、より便利的且つ実用的なものである。
【考案を実施するための最良の形態】
【００１０】
以下、図面を参照しながら、具体的な実施例を挙げて、予定の目的を達成するための技術や手段、そして効果を詳しく説明するが、本考案は、それらの図面や実施例により制限されることがない。
【００１１】
図１は、本考案の回路ブロック概念図である。本実施例の無線トランスポート可能な携帯式データ読取り装置は、接続インタフェース１１と無線トランスポートチップ１３、メモリカードインタフェース１５、拡張インタフェース１４及びコントロールユニット１２がある。接続インタフェース１１は、例えば、コンピュータのホストである情報処理設備に接続するためのものであり、インタフェース形式は、『ＵＳＢ』（Ｕｎｉｖｅｒｓａｌ  Ｓｅｒｉａｌ  Ｂｕｓ）や『ＩＥＥＥ  １３９４』（ＩＮＳＴＩＴＵＴＥ  ＯＦ  ＥＬＥＣＴＲＩＣＡＬ  ＡＮＤ  ＥＬＥＣＴＲＯＮＩＣ  ＥＮＧＩＮＥＥＲＳ  １３９４）の雄や雌のプラグである。該インタフェースが情報処理設備の送信ポートに挿入されると、即時に駆動されて使用される。この携帯式データ読取り装置は、汎用ホットプラグ＆プレー（Ｈｏｔ  Ｐｌｕｇ＆Ｐｌａｙ）可能なホットプラグ機能を有しており、これにより、便利で且つ快速であるという目的が達成される。無線トランスポートチップ１３は、主として、データを無線で送信し、従来の有線による制限を無くす。トランスポート方式は、ブルートゥース（Ｂｌｕｅｔｏｏｔｈ）やＲＦ（Ｒａｄｉｏ  Ｆｒｅｑｕｅｎｃｙ）赤外線、Ｗｉ−Ｆｉ或いはＷｉＭＡＸ等の形式である。メモリカードインタフェース１５は、複数の規格のメモリカードと互換性を有するものであり、規格としては、ＣＦやＭｉｃｒｏｄｒｉｖｅ、ＭＭＣ、ＳＤ、Ｍｉｎｉ  ＳＤ、ｍｉｃｒｏＳＤTM（Ｔ−Ｆｌａｓｈ）、ＭＭＣｍｉｃｒｏ、ｘＤ−Ｐｉｃｔｕｒｅ、Ｍｅｍｏｒｙ  Ｓｔｉｃｋ(R)（Ｄｕｏ）、ＭＭＣｐｌｕｓTM、ＭＭＣｍｏｂｉｌｅTM或いはＭＭＣｍｉｃｒｏTMの形式であり、該インタフェースにより、情報処理設備や電子周辺装置が、メモリカードの内部に記憶されたデータを読取ることができる。拡張インタフェース１４は、電子周辺装置を接続するためのインタフェースであり、拡張の目的を達成できる。コントロールユニット１２は、主として、前記の接続インタフェース１１や無線トランスポートチップ１３、メモリカードインタフェース１５及び拡張インタフェース１４の開閉作動を制御するためのものであり、これにより、各インタフェースの交流がスムーズに行われて、システムのエラーを防止できる。例えば、キーチェーンドライブである電子周辺装置が拡張インタフェース１４に挿入され、また、メモリカードも、同時に、メモリカードインタフェース１５に挿入された時、コントロールユニット１２により、優先権を有するインタフェースを決めることにより、読取りエラーや適正でない作動等を防止できる。また、データフローの方向を制御して、データを送信するインタフェーストランスポートを決める。例えば、拡張インタフェース１４にキーチェーンドライブが挿入された時、コントロールユニット１２は、該データを、無線トランスポートチップ１３や接続インタフェース１１或いはメモリカードインタフェース１５のいずれを介して送信するかを決め、そして、ある情報処理設備や装置に記憶させる。
【００１２】
図２は、本考案に係わる無線トランスポート可能な携帯式データ読取り装置をコンピュータ設備に接続する時のより良い実施例の一つであり、第１のコンピュータ３と第２のコンピュータ４、ＰＤＡ５、メモリカード６及び本考案に係わる第１の携帯式データ読取り装置１と第２の携帯式データ読取り装置２から構成される。第１の携帯式データ読取り装置１と第２の携帯式データ読取り装置２は、それぞれ、第１のコンピュータ３と第２のコンピュータ４の挿設部（拡張ポート）に挿設（挿入）される。該携帯式データ読取り装置は、ホットプラグ＆プレー（Ｈｏｔ  Ｐｌｕｇ＆Ｐｌａｙ）可能であるホットプラグ機能を有するため、第１の携帯式データ読取り装置１と第２の携帯式データ読取り装置２は、それぞれ、第１のコンピュータ３と第２のコンピュータ４から電源が供給されて、即時に作動できる。そして、メモリカード６を第１の携帯式データ読取り装置１のメモリカードインタフェース１５に挿入すると、第１のコンピュータ３が、メモリカード６の内部に記憶されたデータを読取ることができる。また、第１のコンピュータ３は、第１の携帯式データ読取り装置１の無線トランスポートチップ１３の機能により、該データを、第２の携帯式データ読取り装置２が挿設（挿入）された無線トランスポート機能を有する第２のコンピュータ４とＰＤＡ５装置とでシェア（共有）することができる。そして、第１の携帯式データ読取り装置１は、第２のコンピュータ４やＰＤＡ５装置からのデータを受信して、該データを第１のコンピュータ１やメモリカード６或いは拡張インタフェース１４に接続された電子周辺装置に記憶できる。このような多数相手の双方向トランスポートモードにより、小型ネットワークの機能が実現される。
【００１３】
図３は、本考案に係わる無線トランスポート可能な携帯式データ読取り装置を電子周辺装置が接続されたコンピュータ設備に接続する時のより良い実施例の一つであり、第１のコンピュータ３と投写設備７（プロジェクタ）、第１の携帯式データ読取り装置１及び無線プレゼンテーション装置８とを含有する。無線プレゼンテーション装置８に合わせて無線レシーバ９を使用すると、携帯式データ読取り装置１の拡張インタフェース１４に接続された無線レシーバ９により、無線プレゼンテーション装置８からの信号を受信できる。また、携帯式データ読取り装置１が所有する接続インタフェース１１を第１のコンピュータ３に挿入し、また、該第１のコンピュータ３に該投写設備７を接続することにより、図３のように、全体としての作動が統合される。
【００１４】
無線プレゼンテーション装置８が制御信号を送信すると、無線レシーバ９により、即時に該信号を受信する。第１のコンピュータ３は、携帯式データ読取り装置１を介して、該無線レシーバ９から制御信号を読取り、そして、該制御信号によって、投写設備７を介してスクリーンに表示する。この実施例のように、プレゼンテーションを行う人は、プレゼンテーション会議において、快速に、参加者に、現在の進度を知らせることができる。
【００１５】
本考案に係わる無線トランスポート可能な携帯式データ読取り装置によれば、次の利点が得られる。
１、本考案により既存の市販インタフェースを統合することにより、コンピュータや情報処理設備の限られた挿設槽（拡張ポート）が使用されるのを低減できるという利点が得られる。
２、ユーザーが、本考案に係わる無線トランスポート機能を有する携帯式データ読取り装置を利用して、無線トランスポートで情報処理設備や電子周辺装置に対してデータを即時に且つ有效に送信できるという利点が得られる。
【００１６】
以上の図面や説明は、ただ、本考案の実施例であり、本技術を良く分かる熟練者であれば、簡単に、上記に基づいて等価の変更や修正を行うことができ、当該等価の変更や修正は、全てが、本考案の実用新案登録請求の範囲内に含まれる。
【図面の簡単な説明】
【００１７】
【図１】本考案の無線トランスポート可能な携帯式データ読取り装置の回路ブロック概念図である。
【図２】本考案に係る無線トランスポート可能な携帯式データ読取り装置をコンピュータ設備に接続した時のより良い実施例の概念図である。
【図３】本考案に係わる無線トランスポート可能な携帯式データ読取り装置を電子周辺装置が接続されたコンピュータ設備に接続した時の良い実施例の概念図である。
【符号の説明】
【００１８】
１  第１の携帯式データ読取り装置
２  第２の携帯式データ読取り装置
３  第１のコンピュータ
４  第２のコンピュータ
５  ＰＤＡ
６  メモリカード
７  投写設備
８  無線プレゼンテーション装置
９  無線レシーバ
１１  接続インタフェース
１２  コントロールユニット
１３  無線トランスポートチップ
１４  拡張インタフェース
１５  メモリカードインタフェース
【図１】
0003131532.tif 000003
【図２】
0003131532.tif 000004
【図３】
0003131532.tif 000005
【手続補正書】
【提出日】平成19年3月5日(2007.3.5)
【手続補正１】
【補正対象書類名】実用新案登録請求の範囲
【補正対象項目名】請求項４
【補正方法】変更
【補正の内容】
【請求項４】
前記無線トランスポートチップのトランスポート方式は、ブルートゥースやＲＦ赤外線、Ｗｉ−Ｆｉ或いはＷｉＭＡＸ（登録商標）等の形式であることを特徴とする請求項１に記載の無線トランスポート可能な携帯式データ読取り装置。
【手続補正２】
【補正対象書類名】明細書
【補正対象項目名】０００５
【補正方法】変更
【補正の内容】
【０００５】
その３は、無線トランスポートである。情報量の膨大化に伴い、無線方式により、データを何時でも即時にトランスポートしてシェアする機能が要請されている。現況においては、無線インタフェース技術は、近距離伝送技術の場合、ブルートゥース（Ｂｌｕｅｔｏｏｔｈ（登録商標））や赤外線通信（ＩＲ、  Ｉｎｆｒａｒｅｄ  Ｒａｄｉｏ）及びＨｏｍｅＲＦ（Ｈｏｍｅ  Ｒａｄｉｏ  Ｆｒｅｑｕｅｎｃｙ）に応用され、大量データをトランスポートするのをサポートするＩＥＥＥ８０２がある。長距離伝送技術の場合、例えば、ＷｉＭＡＸ（登録商標）等がある。以上は、注目されている技術であり、また、発展のテンポや応用性から見れば、無線に関する領域は、将来において不可欠な技術且つ標準設備になる可能性がある。
【手続補正３】
【補正対象書類名】明細書
【補正対象項目名】００１１
【補正方法】変更
【補正の内容】
【００１１】
図１は、本考案の回路ブロック概念図である。本実施例の無線トランスポート可能な携帯式データ読取り装置は、接続インタフェース１１と無線トランスポートチップ１３、メモリカードインタフェース１５、拡張インタフェース１４及びコントロールユニット１２がある。接続インタフェース１１は、例えば、コンピュータのホストである情報処理設備に接続するためのものであり、インタフェース形式は、『ＵＳＢ』（Ｕｎｉｖｅｒｓａｌ  Ｓｅｒｉａｌ  Ｂｕｓ）や『ＩＥＥＥ  １３９４』（ＩＮＳＴＩＴＵＴＥ  ＯＦ  ＥＬＥＣＴＲＩＣＡＬ  ＡＮＤ  ＥＬＥＣＴＲＯＮＩＣ  ＥＮＧＩＮＥＥＲＳ  １３９４）の雄や雌のプラグである。該インタフェースが情報処理設備の送信ポートに挿入されると、即時に駆動されて使用される。この携帯式データ読取り装置は、汎用ホットプラグ＆プレー（Ｈｏｔ  Ｐｌｕｇ＆Ｐｌａｙ）可能なホットプラグ機能を有しており、これにより、便利で且つ快速であるという目的が達成される。無線トランスポートチップ１３は、主として、データを無線で送信し、従来の有線による制限を無くす。トランスポート方式は、ブルートゥース（Ｂｌｕｅｔｏｏｔｈ（登録商標））やＲＦ（Ｒａｄｉｏ  Ｆｒｅｑｕｅｎｃｙ）赤外線、Ｗｉ−Ｆｉ或いはＷｉＭＡＸ（登録商標）等の形式である。メモリカードインタフェース１５は、複数の規格のメモリカードと互換性を有するものであり、規格としては、ＣＦやＭｉｃｒｏｄｒｉｖｅ、ＭＭＣ、ＳＤ、Ｍｉｎｉ  ＳＤ、ｍｉｃｒｏＳＤTM（Ｔ−Ｆｌａｓｈ）、ＭＭＣｍｉｃｒｏ、ｘＤ−Ｐｉｃｔｕｒｅ、Ｍｅｍｏｒｙ  Ｓｔｉｃｋ(R)（Ｄｕｏ）、ＭＭＣｐｌｕｓTM、ＭＭＣｍｏｂｉｌｅTM或いはＭＭＣｍｉｃｒｏTMの形式であり、該インタフェースにより、情報処理設備や電子周辺装置が、メモリカードの内部に記憶されたデータを読取ることができる。拡張インタフェース１４は、電子周辺装置を接続するためのインタフェースであり、拡張の目的を達成できる。コントロールユニット１２は、主として、前記の接続インタフェース１１や無線トランスポートチップ１３、メモリカードインタフェース１５及び拡張インタフェース１４の開閉作動を制御するためのものであり、これにより、各インタフェースの交流がスムーズに行われて、システムのエラーを防止できる。例えば、キーチェーンドライブである電子周辺装置が拡張インタフェース１４に挿入され、また、メモリカードも、同時に、メモリカードインタフェース１５に挿入された時、コントロールユニット１２により、優先権を有するインタフェースを決めることにより、読取りエラーや適正でない作動等を防止できる。また、データフローの方向を制御して、データを送信するインタフェーストランスポートを決める。例えば、拡張インタフェース１４にキーチェーンドライブが挿入された時、コントロールユニット１２は、該データを、無線トランスポートチップ１３や接続インタフェース１１或いはメモリカードインタフェース１５のいずれを介して送信するかを決め、そして、ある情報処理設備や装置に記憶させる。